(57)【要約】【課題】地震により枠体を介し扉に過負荷が作用しても、扉を開くことができるようにした対震丁番において、現状の対震丁番に使用されている軸の長さを簡単に知ることができるようにした対震丁番を提供する。【解決手段】軸側羽根１と受側羽根２を有し、該羽根には羽根板５、１３と、管部３、１１と、該管部の一端を塞ぐ儀星６、１４と、管部に挿入される軸９と、軸の先端に当接する座金８、１６と、管部内に固定した止め輪７、１５と、上記座金が止め輪に当接する方向に座金を付勢する圧縮コイルばね１０、１７がある。上記軸側丁番と受側丁番間には可動空間１８が形成されている。上記軸は長さの異なる複数の軸が用意され、複数の軸から選択した軸を管部に設ける。各軸には、可動空間１８に対応する部位に軸の長さを表示する印３４が設けられている。【選択図】  図５
2014218793.tif 000002
【特許請求の範囲】
【請求項１】
枠体及び扉に取り付けられる軸側羽根と受側羽根を有し、該羽根は枠体若しくは扉に取り付けるための取付孔を有する羽根板と、羽根板の端部に形成された管部と、該管部の一端を塞ぐ儀星と、管部に挿入される軸と、軸の先端に当接する座金と、管部内に固定した止め輪と、上記座金が止め輪に当接する方向に座金を付勢する圧縮コイルばねを具備し、上記軸側羽根と受側羽根間に可動空間を形成した対震丁番であって、上記軸は選択的に使用される長さの異なる複数の軸から成り、該軸の上記可動空間に対応する位置に、各軸の長さを示す印を設けたことを特徴とする対震丁番。
【請求項２】
上記可動空間の周囲には化粧リングが管部に沿って上下動可能に設けられている請求項１に記載の対震丁番。
【請求項３】
上記軸には、上記印よりも軸側羽根側に軸を管部に摩擦的に保持する保持手段が設けられている請求項１または２に記載の対震丁番。
【請求項４】
上記保持手段は弾性リングである請求項３に記載の対震丁番。
【請求項５】
上記保持手段は軸の周囲に形成した微小隆起部である請求項３に記載の対震丁番。
【請求項６】
上記印は読み取り用のスケールである請求項１から５のいずれかに記載の対震丁番。
【請求項７】
上記請求項１から６のいずれかに記載に記載の対震丁番を備え、該対震丁番で枠体に扉を吊り込んだ扉装置。
【発明の詳細な説明】
【技術分野】
【０００１】
本発明は、地震等で枠体が変形するような外力を受けた場合であっても、変形を吸収して扉を開くことができるようにした対震丁番に関し、特に、扉を枠体に吊り込む際や吊り込んだ後に扉と枠体が干渉しないよう対震丁番の軸高さを調節可能にした対震丁番に関する。
【背景技術】
【０００２】
地震等の外力により枠体が変形しても扉を開くことができるようにした対震丁番が知られている（例えば特許文献１参照）。特許文献１に示す対震丁番は、図７に示すように、軸側羽根１と受側羽根２からなり、軸側羽根１は、管部３と、枠体への取付孔４を形成した羽根板５と、上記管部端に固着した儀星６と、管部内に設けられた止め輪７と、管部内に上下動かつ回動可能に挿通され下端に座金部８を一体的に有する軸９と、座金部が上記止め輪にぶつかる位置まで該軸を上方に付勢する圧縮コイルばね１０を有している。また、受側羽根２は、上記軸９を相対的に上下動かつ回動可能に挿通する管部１１と、扉への取付孔１２を形成した羽根板１３と、上記管部端に固着した儀星１４と、管部内に設けられた止め輪１５と、上下動可能な座金１６と、該座金が上記止め輪にぶつかる位置まで座金を下方に付勢する圧縮コイルばね１７を有する。そして、図９(Ａ)に示すように、上記軸側羽根１の軸９の先部を受側羽根２の管部１１に挿入し、その先端を上記座金１６に当接し、通常の状態で軸側羽根１の上端と受側羽根２の下端間に変形代となる約１０ｍｍ前後の可動空間１８を設けた状態に組み立てられる。通常は、２〜３組の対震丁番を用いて扉を枠体に取り付ける。地震等で枠体が変形して扉に過荷重が作用すると、軸側羽根１と受側羽根２に組み込まれた圧縮コイルばね１０、１７が撓み、軸の先端及び座金８、１６が儀星６、１４側に入り込み、入り込んだ分だけ軸側羽根１上面と受側羽根２下面間の可動空間１８が減ることにより、過負荷を吸収して扉を開閉することができる。上記可動空間１８の周囲は化粧リング１９で覆ってあり、空間が見えないようにしてある。なお、対震丁番としては、上記軸側羽根に圧縮ばねを設けずに管部に軸を固定し、受側羽根に対して相対的に上下動かつ回動可能に構成したものも知られている（例えば特許文献２参照）。
【０００３】
上記のように対震丁番は、軸側羽根と受側羽根間に変形代となる可動空間を設けた構成であり、受側羽根と軸側羽根は、この所定の可動空間を存する状態で、枠体及び扉に正しく取り付けられていなければ地震等の際に期待されているような効果を発揮することができない。通常、扉を吊り込むときには、開閉の円滑さ及び体裁を考慮して上枠下面と扉の上面との間、及び下枠の上面と扉の下面の間には数ｍｍ程度の間隙が設けられるが、上記枠或いは扉の羽根を取り付ける雌ねじの位置がずれて加工されていたり、竪枠或いは上下枠が傾いて施工されている状態で吊り込んだとしても、上記各間隙が小さ過ぎたり、大き過ぎたり、上枠や下枠に擦ったり、極端な場合は扉と枠体が干渉して扉が閉じないことも生じる。
【０００４】
対震丁番は、上記のように軸側羽根と受側羽根が可動空間を形成した状態で軸の上下に組み込まれるから、軸の長さが変われば上記可動空間の長さが増減し、対震丁番の全高さが変わる。しかし、従来のものは図７に示すように、軸を組み込んだ後では、軸側羽根に差し込んだ軸には一体的に座金部が形成され、この座金部が止め輪に当たるので、軸を管部から抜き取ることができない構成になっている。したがって、軸を交換可能に設けるとともに長さの異なる複数の軸を予め用意しておけば、扉と枠体が干渉している場合、現場の状況に応じて軸を差し替えることにより対震丁番の軸高さを調整することが可能となる。ところが、扉を吊り込んだ後に調整が必要になった場合には、現状の扉を吊り込んでいる対震丁番の軸の長さが分からないと、どの長さの軸に交換すればよいか知ることができないし、交換用の軸も±１ｍｍや±２ｍｍというような微小長さの違いは一目では判断できないので  、簡単に調整することがむずかしい。
【先行技術文献】
【特許文献】
【０００５】
【特許文献１】特開２０１０−１８０６０８号公報（特許請求の範囲、図１、図２）
【特許文献２】特許第４０６７９１０号公報（特許請求の範囲、図１）
【発明の概要】
【発明が解決しようとする課題】
【０００６】
本発明は、地震等で枠体や扉が変形して扉に過負荷が作用しても、扉を開けることができるようにした対震丁番であって、軸側羽根と受側羽根の取付位置が多少上下に変化しても長さの異なる軸に交換することによりその位置を調整できるようにした調節機能付きの対震丁番において、枠体に扉を吊り込んだ後に調整が必要になったとき、現状の対震丁番に使用されている軸の長さを判別して簡単に調整できるようにした対震丁番を提供することである。
【課題を解決するための手段】
【０００７】
本発明によれば、枠体及び扉に取り付けられる軸側羽根と受側羽根を有し、該羽根には枠体若しくは扉に取り付けるための取付孔を有する羽根板と、羽根板の端部に形成された管部と、該管部の一端を塞ぐ儀星と、管部に挿入される軸と、軸の先端に当接する座金と、管部内に固定した止め輪と、上記座金が止め輪に当接する方向に座金を付勢する圧縮コイルばねを具備し、上記軸側羽根と受側羽根間に可動空間を形成した対震丁番であって、上記軸は選択的に使用される長さの異なる複数の軸から成り、該軸の上記可動空間に対応する位置に、各軸の長さを示す印を設けたことを特徴とする対震丁番が提供され、上記課題が解決される。
【０００８】
本発明によれば、上記可動空間の周囲には該可動空間を覆う化粧リングが管部に沿って上下動可能に設けられている上記対震丁番が提供される。
【発明の効果】
【０００９】
本発明は上記のように構成され、枠体及び扉に取り付けられる軸側羽根と受側羽根を有し、該羽根には枠体若しくは扉に取り付けるための取付孔を有する羽根板と、羽根板の端部に形成された管部と、該管部の一端を塞ぐ儀星と、管部に挿入される軸と、軸の先端に当接する座金と、管部内に固定した止め輪と、上記座金が止め輪に当接する方向に座金を付勢する圧縮コイルばねを具備し、上記軸側羽根と受側羽根間に可動空間を形成した対震丁番であって、上記軸は、選択的に使用される長さの異なる複数の軸から成り、該軸の可動空間に対応する位置に各軸の長さを示す印を設けたので、対震丁番を組み立てた状態で可動空間を見ると現状の対震丁番に使用されている軸の長さを表示する印が外面に表れている。したがって、扉と枠体が干渉している場合には、可動空間を通して現に使用されている軸の長さを知ることができるから、この軸の印を手掛かりとしてこの軸より長い若しくは短い軸を予め用意した軸の中から選択して準備しておき、扉を外して交換すれば簡単に対震丁番の軸高さを調整して扉が枠体に干渉しないようにすることができる。上記可動空間の外周に化粧リングを設けておくと、通常は可動空間が隠されているからゴミ、埃等の侵入を防ぐことができ、しかも、調整が必要な場合は、化粧リングを引き上げることにより可動空間が露出して軸に設けた印を見ることができ、体裁がよい。
【図面の簡単な説明】
【００１０】
【図１】扉と枠体の関係を示し、（Ａ）は平面から見た説明図、（Ｂ）は正面から見た説明図。
【図２】軸を調整可能にした対震丁番の一実施例を示し、(Ａ)は分解断面図、(Ｂ)は扉に取り付けた状態の断面図、(Ｃ)は扉に荷重が作用して変形代となる可動空間がなくなった状態の断面図。
【図３】化粧リングの斜視図。
【図４】（Ａ）は分離していない従来の軸の説明図、以下軸を軸本体と連接部に分離して軸本体の長さを変えるようにした実施例を示し、（Ｂ）は軸本体と別体の連接部として座金部だけを形成した説明図、(Ｃ)は(Ｂ)図に示す座金部に対向する軸本体の先部をテーパーに形成した説明図、(Ｄ)は連接部として座金部と小径部を設けた説明図、(Ｅ)は(Ｄ)図に示す軸本体の両端にテーパーを設けかつ軸本体を軸側羽根の管部に脱落防止状態で挿入できる外径にした説明図。
【図５】上記長さの異なる軸に設ける印の一実施例を示し、（Ａ）は旋削加工で溝を設けた説明図、（Ｂ）はレーザー加工で数字を設けた説明図。
【図６】対震丁番を側面から見た説明図であって、（Ａ）は化粧リングが可動空間を隠している通常の状態、（Ｂ）は化粧リングを引き上げた状態、（Ｃ）は枠体に過負荷が加わって変形し、対震丁番の変形代分がなくなった状態を示す各説明図。
【図７】読み取り用のスケールを設けた軸本体の実施例を示す
【図８】軸の先端の受孔に調整ピンを選択的に取り付け、軸に読み取り用のスケールを設けた実施例を示し、（Ａ）は軸の一部を断面して示す正面図、（Ｂ）は受孔の内面に形成した溝に弾性リングを設けた説明図、（Ｃ）は受孔の上部を開放して弾性リングを装着した後その周囲をかしめた説明図、(Ｄ)はピンに弾性リングを取り付けた説明図、(Ｅ)はピンの周囲にステイキングで隆起部を形成した説明図、(Ｆ)はローレット加工で隆起部を形成した説明図、(Ｇ)は取付孔に軽く圧入できる程度の外径を有する調整ピンを示す説明図。
【図９】従来の対震丁番の一実施例を示し、(Ａ)は組立時の断面図、(Ｂ)は変形代となる可動空間がなくなった状態の断面図、(Ｃ)は分解断面図。
【発明を実施するための形態】
【００１１】
図１は、扉２０と枠体２１の関係を示し、扉２０は対震丁番２２により枠体２１に開閉可能に取り付けられ、ハンドル２３で開閉する。調節機能付きの対震丁番は、変形代分として可動空間を形成するという基本的な構成は従来の対震丁番と変わらないので、上記図９の説明において用いた符号と同じ符号を用いて以下一実施例を示す図２を説明する。対震丁番２２は、軸側羽根１と受側羽根２からなり、軸側羽根１は、管部３と、枠体２１への取付孔４を形成した羽根板５と、上記管部端に固着した儀星６と、管部内に設けられた止め輪７と、止め輪の下方に上下動可能に設けられた座金８と、管部内に上下動かつ回動可能に挿通された軸９と、座金８が上記止め輪７にぶつかる位置まで座金８及び軸９を上方に付勢する圧縮コイルばね１０を有している。また、受側羽根２は、上記軸９を相対的に上下動かつ回動可能に挿通する管部１１と、扉２０への取付孔１２を形成した羽根板１３と、上記管部端に固着した儀星１４と、管部内に設けられた止め輪１５と、上下動可能な座金１６と、該座金が上記止め輪１５にぶつかる位置まで座金１６を下方に付勢する圧縮コイルばね１７を有する。
【００１２】
上記軸９の上下の先端は、軸胴部をすぼませた形状に形成してあるが、テーパー状に形成したり、硬球を先端に埋め込んでもよく、儀星６、１４は、組み立ての手順を考慮して適時に溶接やピン打ち込みにより管部と一体化させている。そして、上記軸９は上記軸側羽根１に弾性的、摩擦的に保持されるよう保持手段としてＯリング等の弾性リング２４を取付溝２５に設けて脱落防止状態で軸側羽根１の管部３に挿入され、該軸９の先部は回動可能に受側羽根２の管部１１に挿入されている。軸９の上下端は上記座金８、座金１６に当接し、通常の状態で軸側羽根１の上端と受側羽根２の下端間に変形代Ｓとなる約１０ｍｍ前後の可動空間１８が形成され、この可動空間１８を化粧リング１９で隠した状態で、通常２〜３組の対震丁番を用いて扉２０を枠体２１に取り付けている。
【００１３】
上記化粧リング１９は、図３に示すように、上記受側羽根の下端の当接可能なフランジ２６を形成した略円筒状の筒体であり、壁体の一部に上記羽根板１３を挿通させることができる開口部２７が形成されている。この高さは、上記可動空間１８を閉塞することができる長さにしてある。
【００１４】
上記軸９は、長さの異なる複数の軸が交換可能に用意されている。上記図９に示す従来の一例では、軸と座金部が一体的に形成されているので、軸を軸側羽根から抜き取ることができない。そこで、長さが違う軸と交換できるようにするため、座金８を軸本体２８と分離して軸本体を抜き取り可能に設けてあり、この軸本体として全長Ｌが相違する、例えば約１〜５ｍｍ程度長さが違う複数の軸本体を用意し、これを上記対震丁番に交換可能に使う複数の軸としてある。
【００１５】
長さの異なる軸本体を用意するには、軸の構成により種々の方法がある。図４(Ａ)は上記図９に示す従来の軸を比較のために示し、軸の下方部分には小径部を介してその下端に座金部が一体的に形成され、この座金部が止め輪に当接することにより抜け止めされるようになっている。
【００１６】
上記図４（Ｂ）以降は、軸本体の長さと変えるようにした一実施例を示し、図４（Ｂ）に示す実施例は、軸９を、小径部２９を有する軸本体２８と、座金８で構成された連接部３０に分離し、全長Ｌが異なる軸本体２８を複数用意しておく実施例である。そして、この軸本体２８には、上記したように、脱落防止用の保持手段でとして、軸本体２８に取付溝２５を設けてＯリング等の弾性リング２４を装着し、管部から脱落しないようにしてある。この弾性リング２４を設ける位置は、軸側羽根１の管部３に対応する位置であり、対震丁番の上記可動空間よりも軸側羽根側となっている。
【００１７】
上記図４(Ｂ）に示す軸本体２８は、一端がテーパー状に形成され、他端の小径部２９が軸本体２８の胴部と同じ円柱状に形成されているが、図４（Ｃ）に示すように、連接部３０に対向する軸本体２８の先端もテーパー状に形成したのが、上記図２に示す軸本体２８である。図４（Ｄ）に示す実施例は、上記図４（Ｂ）に示す小径部２９を座金８と一体的に設けて連接部３０とし、小径部２９のない軸本体２８の長さＬを変更するようにしたものである。また、図４（Ｅ）に示す実施例は、軸本体２８の一端及び小径部２９に対向する軸本体の先端をテーパー状にしたものであり、この際、図４(Ｅ)に示す実施例では、軸側羽根１の管部３に挿入される側の軸本体２８の外径を、管部３に軽く圧入できる程度のはめあい方式に形成して脱落防止の保持手段としている。なお、保持手段としては、ステイキングやローレット加工で軸本体２８の周面に微小の隆起部を形成して管部から簡単に脱落しないようにしたり、上記図４(Ｃ)のように弾性リングを装着して保持手段としてもよい。
【００１８】
上記のようにして長さを変えた複数の軸が用意されるが、これらの軸は、外観を見ただけではどのような長さの軸か分からない。そこで、本発明では、各軸にその長さを示す印３４を設けてある。これらの印３４は、軸を軸側羽根１及び受側羽根２に組み込んだ際、可動空間１８に対応する部位に位置するように設けられる。印３４としては、刻印、レーザー処理、旋盤等による旋削加工その他適宜の方法により簡単に消失しないように設けられている。例えば、図５（Ａ）に示すように、旋削加工により長さに応じて本数を変えた複数の溝や溝幅の違う指示溝３５を設け、この指示溝３５により軸の長さが分かるようにしたり、図５（Ｂ）に示すように、レーザー加工により基準値に対してどの程度長さが増減しているかを示す数値３６を、例えば−２、−１、０、＋１、＋２というように表示したり、点状の刻印の数、大きさ、形状を変えて表示するようにしたり（図示略）その他適宜の表示方法により印３４を構成することができる。なお、上記図４に示すように、軸の長さを変更するためには、種々の構成が考えられるので、どのような構造の軸かを表示する印も合わせて設けておくこともできる（図示略）。
【００１９】
上記のように構成された対震丁番２２を側面からみると、図６（Ａ）に示すように、通常の状態では軸側羽根１と受側羽根２間の可動空間１８は、化粧リング１９で隠されている。そして、化粧リング１９を持ち上げれば可動空間１８が表れ、軸９に設けた印３４を見ることができる。また、このような印３４を設けてあっても、地震等で扉に過荷重が作用した場合には、図６（Ｃ）に示すように可動空間部分内で軸側羽根１及び又は受側羽根２が支障なく移動することにより、扉を開放することができる。
【００２０】
上記構成により、枠体２１に対震丁番２２により扉２０を吊り込んだ際、扉２０と上枠間の適正間隙が小さくなったり、大きくなったり、或いは、上枠に擦ったり、下枠に擦ったりして対震丁番２２の高さ調整が必要になったときには、次のようにすればよい。まず、枠体２１と扉２０に取り付けられた複数個の対震丁番２２の化粧リング１９を指で持ち上げ、可動空間１８に対応する軸９を外面を露出させる。そして、可動空間１８から視認できる印３４を手掛かりとして、現在の丁番に取り付けられている軸９の長さを知り、調整のためにはどの長さの軸と交換すればよいか決める。複数用意した軸の中から差し替え用の軸を選択して準備する。枠体２１に干渉しないところまで扉２０を開き、扉を持ち上げる。このようにして、受側羽根２の付いた扉２０を軸９から外す。軸側羽根１に組み込まれている軸９を手で抜き取り、予め準備した上記軸を差し込む。その後、受側羽根２を軸９に合わせつつ扉２０を下し、吊り込む。扉２０の開閉を行い、正常に開閉することを確認する。以上の手順により軸９を簡単に交換することができ、扉２０と枠体２１の干渉を解消することができる。
【００２１】
上記実施例は、軸に長さを判別する印３４を設けたが、組み込み状態でどの程度の長さの調整が必要かを知ることができるスケール(目盛)を印として設けることもできる。図７は、軸９の軸側羽根１側に調整座金を設けた実施例を示し、上記図４に示す実施例と同様に、軸９を軸本体２８と連接部３０に分離し、連接部３０の小径部２９にガイド軸３１を突設するとともに軸本体２８の下端に該ガイド軸３１を取り付ける取付孔３２を形成し、連接部３０と軸本体２８間に調整座金３３を挟着できるようにしたものである。調整座金３３としては、厚さの相違するものを複数枚用意しておき、この調整座金に基準厚さよりも−２、−１、０、＋１、＋２というようにどの程度厚さが増減しているかを示す数値３６を表示しておく。そして、現場で所要の厚さのものを装着すれば、軸本体２８の長さを変えなくても軸の全長を変化させることができる。上記軸本体２８の可動空間に対応する位置には長さを読み取るため等間隔のスケール印(目盛)３７を設けてある。この構成により、上記軸９を軸側羽根１に組み込んだとき、軸側羽根１の管部３の上端を基準として上記スケール印３７を読むことにより現在に軸がどの程度突出しているのか直接読み取ることができ、それにより上記調整座金３３を最適のものに交換することができる。なお、この際、上記スケール印３７の目盛の間隔を、最も薄い調整座金の厚さに対応させておけば、複数の座金の中から所要厚さのものを簡単に選択することができる。
【００２２】
図８は受側羽根２側に調整ピンを設けた実施例を示し、軸９の先端に長さの異なる調整ピン３８を選択的に装着して軸９の全長を変えるように構成している。図８の（Ａ）図を参照し、軸９の先端に受孔３９を形成し、この受孔３９に調整ピン３８を嵌着する。調整ピン３８としては、全長が例えば約１〜５ｍｍ程度長さの違うものを複数用意しておき、扉の吊り込み現場で、適宜の調整ピン３８に差し替えれば、軸９の全長を変化させることができる。この調整ピン３８は、受孔３９から簡単に脱落しないように摩擦的に保持する保持手段で装着することが好ましい。この保持手段としては、例えば、（Ｂ）図に示すように、上記受孔３９の内面に環状の取付溝４０を形成し、該取付溝４０にＯリング等の弾性リング４１を挿入し、該弾性リング４１で調整ピン３８の周囲を弾性的に保持することにより脱落防止してある。また、（Ｃ）図のように、受孔３９の上部を上方に開口し弾性リング４１を装着した後にその周囲の側壁４２をかしめて固定したり、（Ｄ）図のように、調整ピン３８に取付溝４３を設けて弾性リング４１を装着してもよい。
【００２３】
さらに、脱落防止の保持手段としては、弾性リングを用いないで図８の（Ｅ）図に示すようにステイキング加工により調整ピン３８の周囲に隆起部４４を形成して受孔３９に軽い圧入状態で挿入したり、（Ｆ）図に示すようにローレット加工により隆起部４４を形成してもよく、所望により（Ｇ）図に示すように、調整ピン自体の外径４５を受孔３９に軽く圧入できる程度の嵌めあい方式にして保持手段としてもよい。
【００２４】
そして、上記各調整ピンには、上記図５に示すように、旋削加工により長さに応じて本数を変えた複数の溝や溝幅の違う指示溝を設け、この指示溝により軸の長さが分かるようにしたり、レーザー加工により基準値に対してどの程度長さが増減しているかを示す数値を、例えば−２、−１、０、＋１、＋２というように表示したり、点状の刻印の数、大きさ、形状を変えて表示するようにしたり（図示略）その他適宜の表示方法により印３４を設けてある。さらに、軸本体の可動空間に対応する位置には長さを読み取るため等間隔のスケール印(目盛)３７を設けてある。この構成により、上記軸９に受側羽根２を組み込んだとき、受側羽根２の管部１１の下端を基準として上記スケール印３７を読むことにより現在の軸の先端に取り付けた調整ピン３８によりどの程度受側羽根２が持ち上げられているのか直接読み取ることができるから、受側羽根２を取り外せば、上記調整ピンとして最適のものと交換することができる。
【００２５】
上記各実施例においては、軸の長さを種々の方法により変えているが、これらの方法を適宜組み合わせて構成し、それに応じて適宜の印を採択することもできる。
【符号の説明】
【００２６】
１    軸側羽根
２    受側羽根
９    軸
１８  可動空間
２８  軸本体
３０  連接部
３４  印
３７  スケール
【図１】
2014218793.tif 000003
【図２】
2014218793.tif 000004
【図３】
2014218793.tif 000005
【図４】
2014218793.tif 000006
【図５】
2014218793.tif 000007
【図６】
2014218793.tif 000008
【図７】
2014218793.tif 000009
【図８】
2014218793.tif 000010
【図９】
2014218793.tif 000011